(57)【要約】【課題】人感センサによる人検知に応じて、予め定められた点灯保持時間、光源を点灯させる照明制御装置において、点灯保持時間制御を精度良く行え、より確実に通過時の省電力化と在席消灯の防止を図る。【解決手段】照明制御装置は、光源と、人感センサと、人感センサによる人検知に応じて、予め定められた点灯保持時間Ｔｎ、光源を点灯させる制御部とを備える。制御部は、光源の消灯後から点灯するまでの消灯時間Ｔｒ１又はＴｒ３を計測し、この消灯時間が予め設定された閾値Ｔｍｉｎより短いときは点灯保持時間Ｔｎをｘ秒だけ長くし、閾値Ｔｍａｘより長いときはｙ秒だけ短くするように補正する。ここで、閾値Ｔｍｉｎと閾値Ｔｍａｘを検知エリアで人が滞在、通過と識別される消灯時間とする。これにより、測定した消灯時間を基に点灯保持時間制御を精度良く行え、より確実に通過時の省電力化と在席消灯の防止を図ることができる。【選択図】図２
2010003625.tif 000002
【特許請求の範囲】
【請求項１】
光源と、人感センサと、この人感センサによる人検知に応じて、予め定められた光源の点灯保持時間、前記光源を点灯させる制御部とを備えた照明制御装置において、
前記制御部は、前記光源の消灯後から点灯するまでの消灯時間を計測し、この計測された消灯時間が所定時間より短いときは前記点灯保持時間を長くし、前記所定時間より長いときは前記点灯保持時間を短くすることを特徴とする照明制御装置。
【発明の詳細な説明】
【技術分野】
【０００１】
本発明は、人感センサによる人検知に応じて、予め定められた点灯時間の間、光源を点灯させることにより省電力化を図った照明制御装置に関する。
【背景技術】
【０００２】
従来、人感センサ付きの照明制御装置は、人感センサによって人の存在を検知したとき、一定時間、照明を点灯することにより省電力化を図っている。また、この種の照明制御装置において使われる人感センサとしては、焦電形赤外線センサ（以下、焦電センサという）を用いることが多い。
【０００３】
焦電センサは入射する熱線量が変化したときにのみ変化前後の差分を基にセンサ信号を検出するため、人が静止状態にあるとセンサ信号は検出されない。そこで、センサ信号が検出された時点でトリガされて一定時間をカウントするタイマを用い、タイマのカウント中は灯具を点灯し、人が静止状態になっても一定時間は灯具が点灯状態を維持するようにしている。また、タイマはカウント中に再びセンサ信号が検出されると、その時点でカウントをリセットすることで、カウントを延長し、点灯時間を長くするようにしている。
【０００４】
ところで、上述のような照明制御においては、検知エリアを人が通過しただけでも一定時間点灯するので、電力が無駄に消費されることが生じるため、点灯保持時間を短くすることが望ましい。しかし、点灯保持時間を短くすると、検知エリアで人が静止状態のとき、人が滞在するにもかかわらず消灯（在席消灯と言う）してしまう場合がある。
【０００５】
そこで、点灯保持時間の時限中における人検知を計測し、人検知の発生回数が多いと点灯保持時間を長くし、人検知の発生回数が少ないと点灯保持時間を短くして、省エネルギ化と在席消灯の防止とを図った照明装置が知られている（例えば、特許文献１参照）。しかしながら、この装置は、点灯保持時間中の人検知のカウント数で該点灯保持時間を増減するので、点灯保持時間が短くなると必然的にカウント数が減り、正確な点灯保持時間制御が難しくなる。
【特許文献１】特開２００１−８５１７０号公報
【発明の開示】
【発明が解決しようとする課題】
【０００６】
本発明は、上記の問題を解決するものであり、人感センサによる人検知に応じて、予め定められた点灯保持時間、光源を点灯させる照明制御装置において、点灯保持時間制御を精度良く行え、より確実に通過時の省電力化と在席消灯の防止を図ることができる照明制御装置を提供することを目的とする。
【課題を解決するための手段】
【０００７】
上記目的を達成するために請求項１の発明は、光源と、人感センサと、この人感センサによる人検知に応じて、予め定められた光源の点灯保持時間、前記光源を点灯させる制御部とを備えた照明制御装置において、前記制御部は、前記光源の消灯後から点灯するまでの消灯時間を計測し、この計測された消灯時間が所定時間より短いときは前記点灯保持時間を長くし、前記所定時間より長いときは前記点灯保持時間を短くするものである。
【発明の効果】
【０００８】
請求項１の発明によれば、消灯時間が所定時間より短いときは、例えば、検知エリア内で人の通過や滞在が多い場合のように消灯時間が短いときであって、このとき、光源の点灯保持時間を長くするので、人の滞在中における消灯を抑制することができる。また、消灯時間が所定時間より長いときは、例えば、検知エリア内で人の通過が少なく、人が殆ど滞在しない場合のように消灯時間が長いときであって、このときは、光源の点灯保持時間を短くするので、節電することができる。その結果、点灯保持時間制御を精度良く行え、より確実に通過時の省電力化と在席消灯の防止を図ることができる。
【発明を実施するための最良の形態】
【０００９】
以下、本発明の一実施形態に係る照明制御装置１について図面を参照して説明する。図１は本実施形態の照明制御装置１の電気的な構成を示す。照明制御装置１は、人の存在を検知してセンサ信号を出力する人感センサ２と、このセンサ信号を受けて予め定められた点灯保持時間を設定する保持時間設定部３と、この点灯保持時間に基づいて点灯部５を点灯制御する制御部４と、制御部４により点灯制御される点灯部５と、点灯部５により点灯駆動される光源６と、これら各部に商用電源から電源を供給する電源部７とを備える。保持時間設定部３は、予め定められた点灯保持時間をカウントするタイムカウンタ（以下、点灯タイマと言う）３１と、光源６の消灯後から点灯するまでの消灯時間をカウントするタイムカウンタ（以下、消灯タイマと言う）３２と、各点灯タイマ３１、消灯タイマ３２のタイマ時間を記憶する記憶部３３とを有する。なお、記憶部３３は、記憶媒体としてフラッシュメモリやＥＥＰＲＯＭなどの半導体記憶素子を有する。また、光源６は、蛍光灯やＬＥＤなどが好適に用いられる。
【００１０】
人感センサ２は、赤外線、ミリ波などの電波センサ、及び撮像素子などを用いることができ、いずれも検知対象を検知することにより、ある一定のセンサ出力を発生する。ここでは、人感センサ２として、焦電センサを用い、この焦電センサにより人体から発する赤外線を検出して人感センサ信号（センサ信号と言う）を出力する。
【００１１】
保持時間設定部３は、マイコンやロジックＩＣなどから構成される。保持時間設定部３は、人感センサ２からセンサ信号入力があった場合に、予め定められた点灯保持時間を点灯タイマ時間とするように点灯タイマ３１を設定し、点灯タイマ３１で点灯タイマ時間のカウントを行いつつ、このカウント状態を示すカウント信号を制御部４に送る。さらに、保持時間設定部３は、点灯タイマ３１で点灯タイマ時間のカウントを開始すると制御部４へ点灯指示信号を出力し、点灯タイマ時間のカウントが終了すると、消灯指示信号を出力する。
【００１２】
点灯タイマ３１は、マイコンやロジックＩＣなどで構成され、センサ信号入力とともに点灯タイマ時間のカウントを開始し、設定された点灯タイマ時間の間、カウントを継続し、カウントが終わるとリセットされる。また、点灯タイマ３１は、点灯タイマ時間のカウント中にセンサ信号が再び入力されるとカウントがリセットされ、その時点から再度、点灯タイマ時間のカウントを開始する。
【００１３】
消灯タイマ３２は、保持時間設定部３が制御部４へ消灯指示信号を出すと同時に、カウントを開始し、その後、保持時間設定部３が制御部４へ点灯指示信号を出すまでの間、即ち、光源６が消灯されている消灯時間のカウントを行う。また、消灯タイマ３２は、カウント完了時に消灯時間のカウント値を記憶部３３に記憶し、カウントはリセットされる。
【００１４】
制御部４は、保持時間設定部３と同様のマイコンやロジックＩＣなどから構成される。制御部４は、保持時間設定部３からの点灯指示信号、消灯指示信号、及び点灯タイマ時間のカウント信号等に基づき、点灯部５を点灯制御する。ここでは、制御部４は、点灯指示信号により点灯部５をオン制御して光源６を点灯し、点灯タイマ時間のカウント信号を監視し、このカウント信号を基に点灯を継続し、点灯タイマ３１による点灯タイマ時間のカウントが完了すると、光源６を消灯する。また、制御部４は、点灯タイマ時間のカウント信号が入力されないとき、即ち、人が検知エリアに滞在しない通常時には、点灯部５の点灯出力をオフ制御して光源６を消灯状態にする。
【００１５】
さらに、制御部４は、消灯タイマ３２のカウント完了時のカウント値により光源６の消灯後から点灯するまでの消灯時間Ｔｒを測定し、この消灯時間Ｔｒの長さに基づいて、点灯タイマ３１の点灯保持時間Ｔｎ（後述の図２及び図３参照、以下、同様）を変化させる。ここでは、予め定められた長短２つの閾値として、閾値Ｔｍｉｎ（所定時間）と閾値Ｔｍｉｎより長い閾値Ｔｍａｘ（所定時間）（Ｔｍｉｎ＜Ｔｍａｘ）が記憶部３３に記憶されている。このとき、制御部４は、計測した消灯時間Ｔｒが閾値Ｔｍｉｎより短いときは、以降の点灯保持時間Ｔｎを長くし、消灯時間Ｔｒが閾値Ｔｍａｘより長いときは点灯保持時間Ｔｎを短くするようにタイマ１の点灯タイマ時間を制御する。ここでは、閾値Ｔｍｉｎと閾値Ｔｍａｘの２つの所定時間を設定した場合について説明するが、これらの閾値を１つにして、１つの所定時間とすることもできる。
【００１６】
点灯部５は、光源６を点灯駆動させるための蛍光灯安定器などの電子回路を備える。点灯部５は、制御部４からの光源６を点滅するオンオフ信号や照明の調光のための調光信号等の点灯制御信号を受けることにより、光源６を点灯駆動する。
【００１７】
上記のように構成された人感センサ２の人検知に基づく照明制御装置１の点灯制御について図２及び図３を参照して説明する。図２（ａ）乃至（ｃ）は、センサ信号Ｓ１が点灯保持時間Ｔｎ内で複数回検知された場合の本照明制御装置１の各部における基本動作のタイムチャートを示す。ここでは、人感センサ２により検知されたセンサ信号Ｓ１が、図２（ａ）に示すように、時間ｔ１、ｔ２、ｔ４、及びｔ６において検出されたとし、時間ｔ２で検知されたセンサ信号が時間ｔ１からの点灯保持時間Ｔｎ内に位置している。ここで、保持時間設定部３は、図２（ｂ）に示すように、時間ｔ１で点灯タイマ３１の点灯タイマ時間を予め定められたＮ（秒）に設定し、点灯タイマ３１がカウントを開始すると、点灯指示信号を制御部４に送出する。このとき、点灯保持時間Ｔｎは点灯タイマ時間Ｎと等価である。また、時間ｔ１で開始した点灯タイマ３１のカウントダウンが完了する前に、時間ｔ２でセンサ信号Ｓ１が再び検出されると、点灯タイマ３１のカウントダウンがリセットされ、点灯保持時間がｔ３（＝ｔ２＋Ｔｎ）まで延びる。これにより、図２（ｃ）に示すように、光源６は、時間ｔ１から時間ｔ３まで点灯され、その後、時間ｔ３で点灯タイマ３１のカウントが終了すると、保持時間設定部３より消灯指示信号が制御部４に送出され、この消灯指示信号により制御部４が光源６を消灯する。このとき、消灯タイマ３２がカウントをスタートする。
【００１８】
このとき、光源６は、時間ｔ３後、次のセンサ信号Ｓ１が検出された時間ｔ４まで引き続き消灯され、消灯タイマ３２が時間ｔ３から時間ｔ４までの消灯時間Ｔｒ１（＝ｔ４−ｔ３）（Ｔｒ）を計測し、時間ｔ４で次のセンサ信号Ｓ１が検知されると消灯タイマ３２が停止し、消灯時間Ｔｒ１を記憶部３３に記憶する。同時に、光源６が再点灯され、点灯タイマ３１はリセットされ、点灯タイマ時間をＮ（秒）としてカウントダウンを再スタートし、点灯保持時間Ｔｎ後、時間ｔ５で光源６が消灯され、消灯タイマ３２が再スタートする。さらに、時間ｔ６でセンサ信号が検知されると、消灯タイマ３２が停止し、消灯時間Ｔｒ２（Ｔｒ）が測定され、再度、点灯タイマ３１のカウントが始まる。
【００１９】
ここでは、上記消灯時間Ｔｒ１は、予め設定された閾値Ｔｍｉｎ以下となっている。このとき、制御部４は、消灯タイマ３２により測定した消灯時間Ｔｒ１が予め設定された閾値Ｔｍｉｎ以下であることを判別すると、時間ｔ５後の消灯時間Ｔｒ２を経て、次にセンサ信号Ｓ１が検出される時間ｔ６において、点灯タイマ時間の設定を当初のＮ（秒）を予め設定された補正時間ｘ（秒）だけ長くする補正を行い、Ｎ＋ｘ（秒）とする。この点灯タイマ時間の補正は、消灯時間Ｔｒが閾値Ｔｍｉｎ以下となる毎に行われることにより、例えば、ｍ回連続して補正された場合は、補正時間をＮ＋ｍｘとすることができる。
【００２０】
ここで、閾値Ｔｍｉｎの時間は、例えば、検知エリア内で人の通過や滞在が多い場合の消灯状態のように、消灯されても直ぐに点灯される短い消灯時間とする。具体的には、点灯中に静止状態でいた人が、点灯タイマ３１のカウント完了で急に光源６が消灯されたとき、直ぐに点灯のために動いて検知され、光源６が再点灯されるまでのように比較的短い消灯時間等が考えられる。従って、制御部４は、消灯時間Ｔｒ１が閾値Ｔｍｉｎより短いときは、検知エリア内に人が滞在すると識別でき、点灯タイマ時間の補正により、次の時間ｔ６のセンサ信号の検知により設定される点灯保持時間を制御してＴｎからＴｎ＋ｘに延長する。これにより、検知エリア内に人が滞在するにも拘わらず消灯する在席消灯を防止することの可能性が高まる。なお、ここでは、消灯時間Ｔｒ１に基づく点灯保持時間の制御を、時間ｔ４の直後の点灯保持時間からではなく、次にセンサ信号が検知される時間ｔ６からの点灯保持時間から行い、消灯時間Ｔｒ２だけ遅らせることにより、点灯保持時間補正の回路処理に時間的余裕を持たせて、確実な補正を行えるようにしている。
【００２１】
図３（ａ）乃至（ｃ）は、センサ信号Ｓ１が点灯保持時間Ｔｎ内に１回しか検知されず、タイマ１のリセットがない場合の本照明制御装置１の各部における基本動作のタイムチャートを示す。ここでは、センサ信号Ｓ１が、図３（ａ）に示すように、時間ｔ７、ｔ９、及びｔ１１で検知されたとして、ここで、保持時間設定部３は、図３（ｂ）に示すように、時間ｔ７で点灯タイマ３１の点灯タイマ時間を予めＮ（秒）に設定し、点灯タイマ３１のカウントを開始する。このとき、各点灯保持時間Ｔｎ中には、センサ信号Ｓ１が１回しか検知されないので点灯タイマ３１はリセットされない。制御部４は、時間ｔ７で設定した点灯タイマ時間（Ｎ）のカウントダウンが時間ｔ８で終了し、光源６が消灯すると、消灯タイマ３２をスタートさせ、次のセンサ信号Ｓ１が検知される時間ｔ９までの消灯時間Ｔｒ３（Ｔｒ）を測定する。点灯タイマ３１は、時間ｔ９でセンサ信号Ｓ１が検出されてリセットされると、点灯タイマ時間（Ｎ）のカウントダウンを再スタートする。また、点灯保持時間Ｔｎ後の時間ｔ１０で光源６が消灯されると同時に、消灯タイマ３２がスタートする。さらに、時間ｔ１１でセンサ信号が検知されると、消灯タイマ３２が消灯時間Ｔｒ４（Ｔｒ）をカウントして停止し、再度、点灯タイマ３１のカウントが始まる。
【００２２】
上記において、制御部４は、測定した消灯時間Ｔｒ３が予め設定された閾値Ｔｍａｘ以上のときは、時間ｔ１１において、点灯タイマ３１の点灯タイマ時間をＮ（秒）から予め設定された補正時間ｙ（秒）だけ短くする補正を行い、Ｎ−ｙ（秒）とし、点灯保持時間ＴｎをＴｎ―ｙとする。この点灯保持時間の補正は、前記と同様に、時間ｔ９の直後の点灯保持時間からではなく、次にセンサ信号Ｓ１が検知される時間ｔ１１からの点灯保持時間から行っている。また、この点灯タイマ時間の補正は、消灯時間Ｔｒが閾値Ｔｍａｘ以上となる毎に行われることにより、例えば、ｎ回連続して補正された場合は、補正時間をＮ−ｎｙとすることができる。
【００２３】
ここで、閾値Ｔｍａｘの時間は、検知エリア内で人が殆ど滞在せず通過するのみであり、消灯後、直ぐに点灯されない消灯状態のように比較的長い消灯時間として、閾値Ｔｍｉｎより長い時間に設定されている。これにより、制御部４は、消灯時間が閾値Ｔｍａｘより長いときは、検知エリア内で人の滞在はなく通過として識別でき、点灯保持時間Ｔｎを短くするように制御することにより、通過時の消費電力を低減することができる。
【００２４】
従って、消灯時間Ｔｒ（ここでは、Ｔｒ１、Ｔｒ３）の長短に基づいて精度良く点灯保持時間Ｔｎに補正を掛けることができるので、点灯タイマ時間を本照明制御装置１の使用環境（使用人数や用途、使用頻度）に応じて適切な値とすることができる。また、使用環境が変化した場合にもユーザが特別に設定変更等することなく自動的、かつ、適切に点灯タイマ時間を補正することできる。
【００２５】
このように、本実施形態の照明制御装置１によれば、閾値Ｔｍｉｎと閾値Ｔｍａｘとを定め、消灯時間Ｔｒを測定して各閾値Ｔｍｉｎ、Ｔｍａｘと比較し、消灯時間Ｔｒが閾値Ｔｍｉｎより短いときは、検知エリア内の人の通過や滞在が多いとして、人の滞在中の消灯を抑制することができる。また、消灯時間Ｔｒが閾値Ｔｍａｘより長いときは、検知エリア内の人の通過が少ないとして、点灯保持時間Ｔｎを短くして人の通過時の点灯を抑制することができる。この結果、測定した消灯時間Ｔｒを基に点灯保持時間Ｔｎの制御を精度良く行えるので、より確実に通過時の省電力化と在席消灯の防止を図ることができる。
【００２６】
また、上記実施形態では、閾値Ｔｍｉｎと閾値Ｔｍａｘの２つの閾値を設定した場合について説明したが、閾値が１つの場合であっても構わない。例えば、ＴｍａｘとＴｍｉｎを平均したような閾値が１つの場合においても、前記と同様に、消灯時間Ｔｒが閾値（所定時間）より短いときは、例えば、検知エリア内で人の通過や滞在が多い場合のように消灯時間が短いときであって、このとき、光源の点灯保持時間Ｔｎを長くして、人の滞在中における消灯を抑制することができる。また、消灯時間Ｔｒが閾値より長いときは、例えば、検知エリア内で人の通過が少なく、人が殆ど滞在しない場合のように消灯時間Ｔｒが長いときであって、このときは、光源の点灯保持時間Ｔｎを短くして、節電することができる。
【００２７】
また、上記においては、消灯時間Ｔｒに対する閾値Ｔｍｉｎ、Ｔｍａｘとの一律比較によって点灯保持時間Ｔｎを固定の補正時間ｘ秒、ｙ秒だけ補正するとしたが、それらの差分（Ｔｍｉｎ一Ｔｒ）（Ｔｍｉｎ＞Ｔｒのとき）又は（Ｔｒ一Ｔｍａｘ）（Ｔｒ＞Ｔｍａｘのとき）の大きさに応じて補正量（補正時間）に重みを付けることができる。これにより、例えば、差分（Ｔｍｉｎ一Ｔｒ）が大きいときは、点灯保持時間Ｔｎをより長くするように補正量を大きくし、差分（Ｔｍｉｎ一Ｔｒ）が小さいときは、補正量を少なくする。また、差分（Ｔｒ一Ｔｍａｘ）が大きいときは点灯保持時間Ｔｎをより短くするように、減算する補正量を大きくし、差分（Ｔｒ一Ｔｍａｘ）が小さいときは、補正量を少なくする。これにより、補正量が長過ぎたり、短過ぎたりせず、使用環境に合ったより好適な点灯タイマ時間を設定することができ、点灯保持時間Ｔｎを適切な点灯時間により速く近づけることができる。
【００２８】
また、点灯タイマ時間をＮ（秒）からＮ＋ｘ（秒）又はＮ−ｙ（秒）に補正後、消灯時間Ｔｒが閾値Ｔｍｉｎより大きく、かつＴｍａｘより小さい、閾値Ｔｍｉｎ＜消灯時間Ｔｒ＜Ｔｍａｘの状態においては、点灯タイマ時間を一旦、初期のＮ（秒）に戻すことにより、点灯保持時間Ｔｎを変更させる補正時間の切替幅の飛躍を抑えることができる。
【００２９】
なお、本発明は上記各種の実施形態の構成に限定されるものではなく、発明の趣旨を変更しない範囲で適宜に種々の変形が可能である。上述した各種実施形態では、点灯保持時間の補正を、消灯時間（例えば、Ｔｒ１）を測定後の次に検出されるセンサ信号（例えば、ｔ６）に基く点灯保持時間から行ったが、測定直後のセンサ信号（例えば、ｔ４）に基く点灯保持時間を補正してもよい。また、センサ信号の閾値をＴｍａｘとＴｍｉｎの２段階に設定したが、さらに細かく３段階以上に設定してもよい。また、人感センサとして焦電型赤外線センサを用いたが、超音波センサ、光センサ等の他の人感センサを用いてもよい。
【図面の簡単な説明】
【００３０】
【図１】本発明の一実施形態に係る照明制御装置の電気ブロック図。
【図２】（ａ）は上記装置の点灯保持時間内で複数回の検知を含むセンサ信号を示す図、（ｂ）は同装置の消灯時間が短いときの点灯タイマ時間の補正を説明するための図、（ｃ）は同装置における光源の点灯出力を示す図。
【図３】（ａ）は上記装置における点灯保持時間のリセットがないときのセンサ信号を示す図、（ｂ）は同装置の消灯時間が長いときの点灯タイマ時間の補正を説明するための図、（ｃ）は同装置における光源の点灯出力を示す図。
【符号の説明】
【００３１】
１  照明制御装置
２  人感センサ
３  保持時間設定部
３１  点灯タイマ
３２  消灯タイマ
３３  記憶部
４  制御部
６  光源
Ｔｎ  点灯保持時間
Ｔｒ、Ｔｒ１〜Ｔｒ４  消灯時間
Ｔｍｉｎ  閾値（所定時間）
Ｔｍａｘ  閾値（所定時間）
【図１】
2010003625.tif 000003
【図２】
2010003625.tif 000004
【図３】
2010003625.tif 000005